【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な変動表示手段を有し、該変動表示手段において予め定められた特定の表示態様の表示結果を導出表示した後に遊技者にとって有利な特定遊技状態に制御される遊技機であって、
前記表示結果を決定するために用いる保留データを記憶する保留記憶手段と、
該保留記憶手段に記憶されている保留データを用いて、前記表示結果を前記特定の表示態様とするか否かを該表示結果を導出表示する以前に決定する事前決定手段と、
前記識別情報の変動表示において予め定められた特定演出を行なわない通常変動パターンと、該通常変動パターンよりも実行される変動表示の実行時間が長い変動パターンであって、前記識別情報の変動表示において前記特定演出を行なう特定変動パターンと、を含む複数種類の変動パターンを記憶する変動パターン記憶手段と、
前記事前決定手段の決定結果に従って、前記変動パターン記憶手段に記憶されている変動パターンのうちから変動パターンを選択する変動パターン選択手段と、
前記変動パターン選択手段の選択した変動パターンに基づき、前記変動表示手段に、前記識別情報の変動表示を行なわせた後、前記事前決定手段の決定結果に対応する表示結果を導出表示させるとともに、当該変動パターンが前記特定変動パターンであるときには、該変動表示において前記特定演出を実行させる変動表示制御手段と、
前記特定演出が実行されることを予告する特定演出予告を、前記保留記憶手段に記憶されている保留データの数に応じた確率で実行する特定演出予告実行手段と、を含み、
前記変動パターン選択手段は、
前記事前決定手段が前記特定の表示態様とすると決定したときに、前記特定変動パターンを選択する特定時特定変動パターン選択手段と、
前記事前決定手段が前記特定の表示態様としないと決定したときであって、前記保留記憶手段に記憶されている保留データの数が所定数以上であって当該所定数より大きい特定数未満のときに、第１の確率で、前記特定変動パターンを選択する通常時特定変動パターン選択手段と、
前記事前決定手段が前記特定の表示態様としないと決定したときであって、前記保留記憶手段に記憶されている保留データの数が前記所定数未満のときに、前記第１の確率よりも高い第２の確率で、前記特定変動パターンを選択する保留少数時特定変動パターン選択手段と、
前記事前決定手段が前記特定の表示態様としないと決定したときであって、前記保留記憶手段に記憶されている保留データの数が前記特定数以上のときに、前記第１の確率よりも低い第３の確率で、前記特定変動パターンを選択する保留多数時特定変動パターン選択手段と、を含み、
前記変動パターン記憶手段は、前記特定変動パターンとして、第１の特定演出を行なう第１の特定変動パターンと、第２の特定演出を行なう第２の特定変動パターンとを記憶し、
前記変動パターン選択手段は、
前記事前決定手段が前記特定の表示態様とすると決定したときには、前記特定の表示態様としないと決定したときよりも、前記特定変動パターンとして前記第２の特定変動パターンとなる確率が高くなるように選択し、
前記保留記憶手段に記憶されている保留データの数に関わらず前記第２の特定演出がほぼ等しい確率で実行されるように、前記保留少数時特定変動パターン選択手段は前記通常時特定変動パターン選択手段よりも、前記特定変動パターンとして前記第１の特定変動パターンとなる確率が高くなるように選択し、かつ前記保留多数時特定変動パターン選択手段は前記通常時特定変動パターン選択手段よりも、前記特定変動パターンとして前記第１の特定変動パターンとなる確率が低くなるように選択することを特徴とする、遊技機。
【手続補正２】
【補正対象書類名】明細書
【補正対象項目名】００１０
【補正方法】変更
【補正の内容】
【００１０】
（１）  各々が識別可能な複数種類の識別情報（たとえば、特別図柄）を変動表示可能な変動表示手段（たとえば、変動表示装置９）を有し、該変動表示手段において予め定められた特定の表示態様（たとえば、大当り図柄の組合せ）の表示結果を導出表示した後に遊技者にとって有利な特定遊技状態（たとえば、大当り遊技状態）に制御される遊技機（たとえば、パチンコ遊技機１）であって、
前記表示結果を決定するために用いる保留データ（たとえば、始動入賞記憶データ）を記憶する保留記憶手段（たとえば、遊技制御用マイクロコンピュータ５３のＲＡＭ５５）と、
該保留記憶手段に記憶されている保留データを用いて、前記表示結果を前記特定の表示態様とするか否かを該表示結果を導出表示する以前に決定する事前決定手段（たとえば、遊技制御用マイクロコンピュータ５３、Ｓ１５３）と、
前記識別情報の変動表示において予め定められた特定演出（たとえば、リーチ演出）を行なわない通常変動パターン（たとえば、通常変動の変動パターン）と、該通常変動パターンよりも実行される変動表示の実行時間が長い変動パターンであって、前記識別情報の変動表示において前記特定演出を行なう特定変動パターン（たとえば、ノーマルリーチの変動パターン、および、スーパーリーチの変動パターン）と、を含む複数種類の変動パターンを記憶する変動パターン記憶手段（たとえば、遊技制御用マイクロコンピュータのＲＯＭ５４）と、
前記事前決定手段の決定結果に従って、前記変動パターン記憶手段に記憶されている変動パターンのうちから変動パターンを選択する変動パターン選択手段（たとえば、遊技制御用マイクロコンピュータ５３、Ｓ１７６〜Ｓ１８５、図１４の変動パターン種別選択テーブル、および、図１５の変動パターン振分テーブル参照）と、
前記変動パターン選択手段の選択した変動パターンに基づき、前記変動表示手段に、前記識別情報の変動表示を行なわせた後、前記事前決定手段の決定結果に対応する表示結果を導出表示させるとともに、当該変動パターンが前記特定変動パターンであるときには、該変動表示において前記特定演出を実行させる変動表示制御手段（たとえば、演出制御用マイクロコンピュータ８００、Ｓ５０５）と、
前記特定演出が実行されることを予告する特定演出予告（たとえば、リーチ予告）を、前記保留記憶手段に記憶されている保留データの数に応じた確率で実行する特定演出予告実行手段（たとえば、演出制御用マイクロコンピュータ８００、Ｓ５２７，Ｓ５０５〜Ｓ５０７、Ｓ５２３〜Ｓ５２７）と、を含み、
前記変動パターン選択手段は、
前記事前決定手段が前記特定の表示態様とすると決定したときに、前記特定変動パターンを選択する特定時特定変動パターン選択手段と、
前記事前決定手段が前記特定の表示態様としないと決定したときであって、前記保留記憶手段に記憶されている保留データの数が所定数（たとえば、２）以上であって当該所定数より大きい特定数（たとえば、４）未満のときに、第１の確率（たとえば、リーチ判定用のランダムカウンタのカウント値が１９３〜２１１の範囲の値である確率、すなわち、１９／２１２の確率）で、前記特定変動パターンを選択する通常時特定変動パターン選択手段（たとえば、図１３のリーチ振分テーブル２参照）と、
前記事前決定手段が前記特定の表示態様としないと決定したときであって、前記保留記憶手段に記憶されている保留データの数が前記所定数未満のときに、前記第１の確率よりも高い第２の確率（たとえば、リーチ判定用のランダムカウンタのカウント値が１８０〜２１１の範囲の値である確率、すなわち、３２／２１２の確率）で、前記特定変動パターンを選択する保留少数時特定変動パターン選択手段（たとえば、図１３のリーチ振分テーブル１参照）と、
前記事前決定手段が前記特定の表示態様としないと決定したときであって、前記保留記憶手段に記憶されている保留データの数が前記特定数以上のときに、前記第１の確率よりも低い第３の確率（たとえば、リーチ判定用のランダムカウンタのカウント値が２００〜２１１の範囲の値である確率、すなわち、１２／２１２の確率）で、前記特定変動パターンを選択する保留多数時特定変動パターン選択手段と、を含み、
前記変動パターン記憶手段は、前記特定変動パターンとして、第１の特定演出（たとえば、ノーマルリーチのリーチ演出）を行なう第１の特定変動パターン（たとえば、ノーマルリーチの変動パターン）と、第２の特定演出（たとえば、スーパーリーチのリーチ演出）を行なう第２の特定変動パターン（たとえば、スーパーリーチの変動パターン）とを記憶し、
前記変動パターン選択手段は、
前記事前決定手段が前記特定の表示態様とすると決定したときには、前記特定の表示態様としないと決定したときよりも、前記特定変動パターンとして前記第２の特定変動パターンとなる確率が高くなるように選択し（たとえば、大当り決定時のスーパーリーチ決定確率：約９０％、はずれ決定時のスーパーリーチ決定確率：約１％）、
前記保留記憶手段に記憶されている保留データの数に関わらず前記第２の特定演出がほぼ等しい確率で実行されるように、前記保留少数時特定変動パターン選択手段は前記通常時特定変動パターン選択手段よりも、前記特定変動パターンとして前記第１の特定変動パターンとなる確率が高くなるように選択し（たとえば、はずれ決定時かつ始動入賞記憶数２未満時のノーマルリーチ決定確率：約１４％、はずれ決定時かつ始動入賞記憶数２以上時のノーマルリーチ決定確率：約８％）、かつ前記保留多数時特定変動パターン選択手段は前記通常時特定変動パターン選択手段よりも、前記特定変動パターンとして前記第１の特定変動パターンとなる確率が低くなるように選択する（たとえば、はずれ決定時かつ始動入賞記憶数４以上時のノーマルリーチ決定確率：約５％、はずれ決定時かつ始動入賞記憶数４未満時のノーマルリーチ決定確率：約８％）。
【手続補正３】
【補正対象書類名】明細書
【補正対象項目名】００１１
【補正方法】変更
【補正の内容】
【００１１】
このような構成によれば、特定演出を行なう特定変動パターンの実行時間は、特定演出を行なわない通常変動パターンの実行時間よりも長い。また、保留データの数が所定数以上であって当該所定数より大きい特定数未満のときに、第１の確率で、特定変動パターンが選択され、保留データの数が所定数未満のときに、第１の確率よりも高い第２の確率で、特定変動パターンが選択され、保留データの数が特定数以上のときに、第１の確率よりも低い第２の確率で、特定変動パターンが選択される。さらに、特定の表示態様とすると決定したときには、特定の表示態様としないと決定したときに特定演出を実行することを決定したときよりも、特定変動パターンとして第２の特定変動パターンとなる確率が高くなるように選択される。また、保留データの数に関わらずほぼ等しい確率で第２の特定演出が実行されるように、保留少数時特定変動パターン選択手段によって、通常時特定変動パターン選択手段よりも、特定変動パターンとして第１の特定変動パターンとなる確率が高くなるように選択され、かつ保留多数時特定変動パターン選択手段によって、通常時特定変動パターン選択手段よりも、特定変動パターンとして第１の特定変動パターンとなる確率が低くなるように選択される。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
これにより、特定演出を行なう特定変動パターンの実行時間は、特定演出を行なわない通常変動パターンの実行時間よりも長く、保留データの数が所定数未満のときに、所定数以上のときよりも、特定演出を実行することが決定される確率が向上される。このため、保留データの数が所定数未満の時には、実行時間が長い特定変動パターンが選択される確率が向上されるので、１回の変動表示の平均実行時間が長くなる。その結果、変動表示と変動表示の間に変動表示が行なわれない期間が生じ難くすることができる。また、保留データの数が所定数以上のときには、実行時間が長い特定変動パターンが選択される確率が低下されるので、１回の変動表示の平均実行時間が短くなる。その結果、保留データの消化を早めることができる。
【手続補正６】
【補正対象書類名】明細書
【補正対象項目名】００１４
【補正方法】変更
【補正の内容】
【００１４】
また、特定の表示態様とすると決定されるときに特定変動パターンとして第２の特定変動パターンが選択される確率が高くなり、第２の特定演出が行なわれることにより、遊技者の期待感をさらに向上させることができる。
【手続補正７】
【補正対象書類名】明細書
【補正対象項目名】００１５
【補正方法】変更
【補正の内容】
【００１５】
また、保留データの数が所定数未満のときに、所定数以上のときよりも高い確率で、特定演出を実行することが決定されるようにし、保留データの数が特定数以上のときに、特定数未満のときよりも低い確率で、特定演出を実行することが決定されるようにしても、保留データの数に関わらず第２の特定演出がほぼ等しい確率で実行される。このため、第２の特定演出が行なわれることによって一定の確率で変動表示の表示結果が特定の表示態様となることを遊技者に期待させることができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】